(57)【特許請求の範囲】
【請求項１】
ベースと、第一端と第二端との間の途中部分が前記ベースに第一ヒンジ部を介して連結され、前記第一端に第一係合部が形成された湾曲状の第一アームと、第三端と第四端との間の途中部分が前記ベースに第二ヒンジ部を介して連結され、前記第一アームの前記第一端に対峙する前記第三端に第二係合部が形成された湾曲状の第二アームとを備え、前記第一係合部と前記第二係合部とが係合されることで、前記第一アームと前記第二アームとの間に物品を保持するホルダーであって、
前記第一アームにおいて前記第一ヒンジ部と前記第二端との間の途中部分と、前記第二アームにおいて前記第二ヒンジ部と前記第四端との間の途中部分とがバネ材で連結されており、
前記バネ材は、前記第二端よりも前記第一ヒンジ部に近い位置で前記第一アームに連結されかつ、前記第四端よりも前記第二ヒンジ部に近い位置で前記第二アームに連結されていることを特徴とするホルダー。
【発明の詳細な説明】
【技術分野】
【０００１】
本発明は、例えば止水栓やパイプ等の配管部材を保持するために用いられるホルダーに関する。
【背景技術】
【０００２】
特許文献１のパイプクランプは、基台と、略半円筒状をなす一対の挟持部片とを備えている。各挟持部片において、基台側の端と、基台側とは反対側の端との間の途中部分は、ヒンジを介して連結されている。一方の挟持部片において、基台側とは反対側の端には、篏合凸部が形成されている。他方の挟持部片において、基台側とは反対側の端には、篏合凹部が形成されている。
【０００３】
そして、一対の挟持部片間にパイプを配置し、当該パイプを各挟持部片において基台側の端に押し付けることで、各挟持部片が基台に対して傾動する。したがって、一対の挟持部片は、基台側とは反対側の端が互いに接近し、篏合凸部と篏合凹部とが係合されてパイプを挟持する。
【先行技術文献】
【特許文献】
【０００４】
【特許文献１】特許第４７９２２９５号公報
【発明の概要】
【発明が解決しようとする課題】
【０００５】
ところが、前記パイプクランプは、パイプを挟持した状態にて、当該パイプが基台側に強く押し付けられると、各挟持部片において基台側の端付近が大きく変形し、パイプが大きく傾いたりする問題があった。
本発明の目的は、物品を安定して保持できるホルダーを提供すること。
【課題を解決するための手段】
【０００６】
上記目的を達成するために請求項１の発明のホルダーは、ベースと、第一端と第二端との間の途中部分が前記ベースに第一ヒンジ部を介して連結され、前記第一端に第一係合部が形成された湾曲状の第一アームと、第三端と第四端との間の途中部分が前記ベースに第二ヒンジ部を介して連結され、前記第一アームの前記第一端に対峙する前記第三端に第二係合部が形成された湾曲状の第二アームとを備え、前記第一係合部と前記第二係合部とが係合されることで、前記第一アームと前記第二アームとの間に物品を保持するホルダーであって、前記第一アームにおいて前記第一ヒンジ部と前記第二端との間の途中部分と、前記第二アームにおいて前記第二ヒンジ部と前記第四端との間の途中部分とがバネ材で連結されており、前記バネ材は、前記第二端よりも前記第一ヒンジ部に近い位置で前記第一アームに連結されかつ、前記第四端よりも前記第二ヒンジ部に近い位置で前記第二アームに連結されていることを特徴とする。
【発明の効果】
【０００７】
本発明によれば、物品が第一アーム及び第二アームに対して強く押し付けられた場合、第一アームにおいて第一ヒンジ部よりも第二端側の部分と、第二アームにおいて第二ヒンジ部よりも第四端側の部分が過大に変形しようとし、第一アームの第二端と第二アームの第四端との間隔が一部又は全部において過大に拡がろうとする。しかし、バネ材が、第一アームにおいて第一ヒンジ部よりも第二端側の部分と、第二アームにおいて第二ヒンジ部よりも第四端側の部分とを拘束しているため、第一アームの第二端と第二アームの第四端との間隔が過大に拡がることを抑制でき、物品を所定の位置で安定して保持することが可能となる。
【図面の簡単な説明】
【０００８】
【図１】一実施形態のホルダーを示す正面図。
【図２】ホルダーの側面図。
【図３】ホルダーの平面図。
【図４】ホルダーの底面図。
【図５】ホルダーが配管部材を保持した状態を示す説明図。
【図６】別例のホルダーを示す正面図。
【発明を実施するための形態】
【０００９】
以下、本発明を具体化した一実施形態について説明する。
図１〜図４に示すように、本実施形態のホルダーは、例えば家屋の壁等に敷設される水道の施工面上で、止水栓やパイプ等の配管部材を保持するために用いられるものである。ホルダーは、施工面に固定されるベース１と、当該ベース１に設けられて配管部材を保持するための第一アーム２及び第二アーム３を備えている。ベース１及び第一アーム２並びに第二アーム３は、合成樹脂により一体成型されている。
【００１０】
前記ベース１は、両側縁部に取付孔５ａが形成されたプレート５と、当該プレート５の中央部に立設された柱状部６とを備えている。ベース１は、プレート５の取付孔５ａを介して施工面にネジ止めされる。柱状部６においてプレート５側とは反対側の端部には、一側縁（図１の左方の側縁）から延出された板状の第一連結部７と、他側縁（図１の右方の側縁）から延出された板状の第二連結部８とが設けられている。第一連結部７においてプレート５側とは反対側の端部には、薄板状の第一ヒンジ部７ａが形成されている。第二連結部８においてプレート５側とは反対側の端部には、薄板状の第二ヒンジ部８ａが形成されている。
【００１１】
前記第一アーム２及び第二アーム３は、それぞれ半円筒状をなしている。第一アーム２は、ベース１側とは反対側の第一端２ａとベース１側の第二端２ｂとの間の途中部分が、第一ヒンジ部７ａを介して第一連結部７に連結されている。第二アーム３は、ベース１側とは反対側の第三端３ａとベース１側の第四端３ｂとの間の途中部分が、第二ヒンジ部８ａを介して第二連結部８に連結されている。
【００１２】
前記第一アーム２の第一端２ａには、第一係合部９が設けられている。第一アーム２の外周面において第一係合部９の近傍でかつ第一係合部９よりも第二端２ｂ側には、第一指掛け部１０が設けられている。第一指掛け部１０には、第一アーム２の幅方向に第一挿通孔１０ａが貫通形成されている。第一係合部９の外周面には、第一アーム２の幅方向に沿って延びる鋸刃状の第一突起９ａが、第一指掛け部１０側から第一端２ａ側に向かって複数形成されている。第一係合部９の外周面において幅方向の一側縁（図３の下方の側縁）には、第一アーム２の延在方向に沿って第一ガイド壁９ｂが立設されている。第一係合部９の外周面において幅方向の他側縁（図３の上方の側縁）には、第一アーム２の延在方向に沿ってガイド凹部９ｃが形成されている。第一係合部９において一側縁側の内周面には、第一アーム２の延在方向に沿って収容凹部９ｄが形成されている。
【００１３】
前記第二アーム３において第一アーム２の第一端２ａに対峙する第三端３ａには、第二係合部１１が設けられている。第二アーム３の外周面において第二係合部１１の近傍でかつ第二係合部１１よりも第四端３ｂ側には、第二指掛け部１３が設けられている。第二指掛け部１３には、第二アーム３の幅方向に第二挿通孔１３ａが貫通形成されている。第二係合部１１の内周面には、第二アーム３の幅方向に沿って延びる鋸刃状の第二突起１１ａが、第二指掛け部１３側から第三端３ａ側に向かって複数形成されている。第二係合部１１の内周面において幅方向の一側縁（図１の紙面奥側の側縁）には、第二アーム３の延在方向に沿って第二ガイド壁１１ｂが立設されている。第二係合部１１の他側縁（図１の紙面手前側の側縁）側において第二突起１１ａよりも内周側には、第二指掛け部１３の近傍から舌状片１１ｃが延出されている。
【００１４】
図５に示すように、上記構成のホルダーにおいては、前記第一アーム２と第二アーム３との間に配管部材Ｈを配置し、当該配管部材Ｈを第一アーム２の第二端２ｂ側及び第二アーム３の第四端３ｂ側に押し付けることで、第一アーム２が第一ヒンジ部７ａを支点として、また第二アーム３が第二ヒンジ部８ａを支点として傾動する。この際、第一指掛け部１０及び第二指掛け部１３を利用して、第一アーム２と第二アーム３の傾動を補助することも可能である。したがって、第一アーム２の第一端２ａと第二アーム３の第三端３ａとが互いに接近し、やがては第一係合部９の第一突起９ａと第二係合部１１の第二突起１１ａとが凹凸係合されて配管部材Ｈを挟持する。
【００１５】
当該挟持状態では、前記第一アーム２のガイド凹部９ｃに第二アーム３の第二ガイド壁１１ｂが収容されかつ、第一アーム２の収容凹部９ｄに第二アーム３の舌状片１１ｃが収容されることで、第一突起９ａと第二突起１１ａとの係合が外れる方向へ第一係合部９と第二係合部１１とが相対移動することを当接規制している。第一ガイド壁９ｂ及び第二ガイド壁１１ｂは、第一突起９ａと第二突起１１ａとの係合部分の両側縁を覆って、当該係合部分に外部の何かが接触して係合が解除されないようにしている。
【００１６】
前記第一指掛け部１０の第一挿通孔１０ａと第二指掛け部１３の第二挿通孔１３ａとの間には、二又状のピンやワイヤ等の拘束部材Ｗが挿し渡されている。当該拘束部材Ｗによって、第一アーム２の第一端２ａ側と第二アーム３の第三端３ａ側とが互いに拘束され、第一アーム２と第二アーム３との係合がより強固となっている。それに対して、特許文献１のパイプクランプは、篏合凸部と篏合凹部との係合のみであるため、一方の挟持部片と他方の挟持部片との係合が弱い。
【００１７】
さて、図１に示すように、本実施形態においては、前記第一アーム２において第一ヒンジ部７ａと第二端２ｂとの間の途中部分と、第二アーム３において第二ヒンジ部８ａと第四端３ｂとの間の途中部分とが、バネ材１２で連結されている。バネ材１２は、ベース１等と一体成型された、プレート５側に凸となる円弧状の板バネよりなっている。バネ材１２は、ホルダーの柱状部６においてプレート５側とは反対側の端面と、第一連結部７と、第二連結部８と、第一アーム２において第一ヒンジ部７ａよりも第二端２ｂ側の部分と、第二アーム３において第二ヒンジ部８ａよりも第四端３ｂ側の部分とで囲まれた空間Ｋに収容されている。
【００１８】
前記のように、バネ材１２を、第二端２ｂよりも第一ヒンジ部７ａに近い位置で第一アーム２に連結しかつ、第四端３ｂよりも第二ヒンジ部８ａに近い位置で第二アーム３に連結することで、第一アーム２及び第二アーム３の傾動に連動するバネ材１２の移動距離（図１の上下方向への移動距離）を短くできる。これは、当該方向への空間Ｋの寸法を小さくすることに寄与する。
【００１９】
前記バネ材１２は、第一アーム２との連結部分である第一円弧状部１２ａと、第二アーム３との連結部分である第二円弧状部１２ｂと、第一円弧状部１２ａと第二円弧状部１２ｂとを連結する第三円弧状部１２ｃとを備えている。第一円弧状部１２ａは、四半円筒状をなしており、第一アーム２に対して垂直に連結されている。第二円弧状部１２ｂは、第一円弧状部１２ａと同一寸法の四半円筒状をなしており、第二アーム３に対して垂直に連結されている。第一円弧状部１２ａと第三円弧状部１２ｃとは滑らかに連結されている。第二円弧状部１２ｂと第三円弧状部１２ｃとは滑らかに連結されている。
【００２０】
前記第一円弧状部１２ａの曲率と第二円弧状部１２ｂの曲率は同じでかつ、第三円弧状部１２ｃの曲率よりも大きくなっている。曲率の小さな第三円弧状部１２ｃは、曲率の大きな第一円弧状部１２ａと第二円弧状部１２ｂとの配置間隔が広くても、バネ材１２を図１の上下方向に小型化でき、当該方向への空間Ｋの寸法を小さくすることに寄与する。また、曲率の大きな第一円弧状部１２ａ及び第二円弧状部１２ｂは、円弧方向への短い延在距離でバネ材１２を第一アーム２及び第二アーム３から大きく離間させることができ、バネ材１２が第一アーム２及び第二アーム３の傾動の妨げとなることを防止できる。
【００２１】
さて、図５に示すように、前記ホルダーに配管部材Ｈを保持させる作業の際、第一アーム２と第二アーム３が傾動すると、バネ材１２が弾性変形して、当該傾動を妨げる方向への反力を生じる。この反力は、第一係合部９の第一突起９ａと第二係合部１１の第二突起１１ａとの噛み合いを強くする方向に作用されるため、第一係合部９と第二係合部１１の係合、つまりは配管部材Ｈの挟持が確実となる。
【００２２】
そして、当該作業の際に、前記配管部材Ｈが第一アーム２及び第二アーム３に対して強く押し付けられる等した場合、第一アーム２において第一ヒンジ部７ａよりも第二端２ｂ側の部分と、第二アーム３において第二ヒンジ部８ａよりも第四端３ｂ側の部分が大きく変形しようとし、第一アーム２の第二端２ｂと第二アーム３の第四端３ｂとの間隔が一部又は全部において過大に拡がろうとする。しかし、バネ材１２が、第一アーム２において第一ヒンジ部７ａよりも第二端２ｂ側の部分と、第二アーム３において第二ヒンジ部８ａよりも第四端３ｂ側の部分とを拘束しているため、第一アーム２の第二端２ｂと第二アーム３の第四端３ｂとの間隔が過大に拡がることを抑制でき、配管部材Ｈを所定の位置で安定して保持することが可能となる。
【００２３】
本発明は次のように具体化してもよい。
○図６に示すように、バネ材１２の中央部を、プレート５とは反対側に凸となる円弧状とすること。
○バネ材１２を、全体として同一曲率の円弧状とすること。
○バネ材１２を、ベース１及び第一アーム２並びに第二アーム３等とは別体に構成すること。この場合、金属製のバネ材１２を用いてもよい。
○バネ材１２として、棒状体を円弧状に曲折したものを用いること。
○第一挿通孔１０ａ及び第二挿通孔１３ａつまり凹状部を、第一アーム２及び第二アーム３の側縁から突出する凸状部に変更し、当該一対の凸状部をワイヤ等で互いに拘束すること。
【００２４】
上記実施形態から把握できる技術的思想について記載する。
（１）ベースと、第一端と第二端との間の途中部分が前記ベースに第一ヒンジ部を介して連結され、前記第一端に第一係合部が形成された湾曲状の第一アームと、第三端と第四端との間の途中部分が前記ベースに第二ヒンジ部を介して連結され、前記第一アームの前記第一端に対峙する前記第三端に第二係合部が形成された湾曲状の第二アームとを備え、前記第一係合部と前記第二係合部とが係合されることで、前記第一アームと前記第二アームとの間に物品を保持するホルダーであって、前記第一アームにおいて前記第一ヒンジ部と前記第一端との間に設けられ、拘束部材を係合させるための第一拘束部（第一挿通孔１０ａ）と、前記第二アームにおいて前記第二ヒンジ部と前記第三端との間に設けられ、前記拘束部材を係合させるための第二拘束部（第二挿通孔１３ａ）とを備え、前記第一拘束部と前記第二拘束部との間で前記拘束部材が渡されることで、当該拘束部材によって前記第一アームの前記第一端側と前記第二アームの前記第三端側とが互いに拘束されるようにしたことを特徴とするホルダー。
【符号の説明】
【００２５】
１…ベース、２…第一アーム、２ａ…第一端、２ｂ…第二端、３…第二アーム、３ａ…第三端、３ｂ…第四端、７ａ…第一ヒンジ部、８ａ…第二ヒンジ部、９…第一係合部、１１…第二係合部、１２…バネ材、１２ａ…第一円弧状部、１２ｂ…第二円弧状部、１２ｃ…第三円弧状部、Ｈ…物品としての配管部材。
【図１】
0006288572.tif 000002
【図２】
0006288572.tif 000003
【図３】
0006288572.tif 000004
【図４】
0006288572.tif 000005
【図５】
0006288572.tif 000006
【図６】
0006288572.tif 000007